(57)【要約】【課題】乳児が哺乳瓶のミルクを飲む時、あたかも母親の乳房のような触感および温感等が得られると同時に、乳児の手にくっ付くような着用感があり、滑ることがなく、安心して飲め、しかも携帯や保管に便利で、衛生的であり、かつ保温性にも優れた哺乳瓶用保持器を提供することを目的とする。【解決手段】哺乳瓶ａをその乳首部分を外に出した状態で脱着自在に収納できる保持器本体１と、保持器本体１の胴部２外周に張設された軟質シート１１とを備え、軟質シート１１をエアの注入により乳房状に膨らませることができるように形成して構成される。【選択図】          図４
2005046216.tif 000002
【特許請求の範囲】
【請求項１】
哺乳瓶をその乳首部分を外に出した状態で脱着自在に収納できる保持器本体と、保持器本体の胴部外周に張設された軟質シートとを備え、軟質シートをエアの注入により乳房状に膨らませることができるように形成したことを特徴とする哺乳瓶用保持器。
【請求項２】
保持器本体の上端開口部に、保持器本体に哺乳瓶を収納させたとき、その肩部が開口縁部に突き当って哺乳瓶の抜けを阻止できるリング状のねじ蓋を被せたことを特徴とする請求項１記載の哺乳瓶用保持器。
【請求項３】
リング状のねじ蓋の開口部内側に、シリコンによるパッキン処理を施したことを特徴とする請求項１または２記載の哺乳瓶用保持器。
【請求項４】
保持器本体の外側に張設された軟質シートを、シリコンにて形成したことを特徴とする請求項１記載の哺乳瓶用保持器。
【請求項５】
保持器本体の外側に張設した軟質シートの適宜部位に、エア注入用のへそ部を設けたことを特徴とする請求項１〜３の何れかに記載の哺乳瓶用保持器。
【発明の詳細な説明】
【０００１】
【発明の属する技術分野】
本発明は、哺乳瓶用保持器に関し、詳しくは、乳児が哺乳瓶を手に持ってミルクを飲んでいるときに、あたかも母親の乳房に触れているような触感や温感等を与えることができる哺乳瓶用保持器に関する。
【０００２】
【従来の技術】
一般的に、乳児用哺乳瓶は、硬質のプラスチックにて成形されているため、乳児がこれを手に持ったとき、極めて硬い、あるいは冷たい触感を与えるものである。
【０００３】
乳児期は、乳児の情緒の発達のために、精神的な満足感や暖かい温感などが最も大切である。従って、母親が乳児に母乳を直接飲ませることは、乳児に対して精神的な満足感や温感等を与えることができ、乳児の情緒の発達に良い影響を及ぼすものである。
【０００４】
このようなことから、従来、哺乳瓶に、乳房状の被いを装着することにより、授乳中の乳児が手を触れたとき、あたかも母親の乳房の触感が得られるようにしたものが提案されている（例えば、特許文献１）。
【０００５】
【特許文献１】
登録実用新案第３０９０２４１号公報
【０００６】
【発明が解決しようとする課題】
しかしながら、前記した従来の哺乳瓶の被いは、ゴムやシリコン等の柔軟な素材でお椀状に形成されており、これを哺乳瓶上端に装着するだけであるから、次に示すような問題点がある。
【０００７】
（１）被いは、柔軟な素材でお椀状に形成されているため、乳児が手で触れたとき、形崩れし易く、実際の母親の張りがある乳房の触感および温感等が得られない。
【０００８】
（２）哺乳瓶と被いは、分離しても、組み合せても嵩張り易く、携帯や保管等に不便である。
【０００９】
（３）被いを装着した状態でも、哺乳瓶は全体的に外部に露出している部分が多く、雑菌やホコリ等が付着し易い。これを防ぐためには、哺乳瓶と被い全体をカバーしなければならない。
【００１０】
（４）温かいミルクを入れても哺乳瓶の大半は外部に露出しているため、直ぐ冷めてしまう。
【００１１】
本発明は、前記した従来の技術が有する問題点を解消するもので、乳児が哺乳瓶のミルクを飲む時、あたかも母親の乳房のような触感および温感等が得られると同時に、乳児の手にくっ付くような着用感があり、滑ることがなく、安心して飲め、しかも携帯や保管に便利で、衛生的であり、かつ保温性にも優れた哺乳瓶用保持器を提供することを目的とする。
【００１２】
【課題を解決するための手段】
上記目的を達成するために、本発明に係る哺乳瓶用保持器は、請求項１では、哺乳瓶をその乳首部分を外に出した状態で脱着自在に収納できる保持器本体と、保持器本体の胴部外周に張設された軟質シートとを備え、軟質シートをエアの注入により乳房状に膨らませることができるように形成したことを特徴とする。
【００１３】
この発明では、保持器本体の外部に乳首を露出した状態で哺乳瓶を収納できるため、乳児は保持器本体を手に持ったままミルクを飲むことができる。また、そのさい、保持器本体の外側の軟質シートをエアの注入により乳房状に膨らませることで、乳児に対してあたかも母親の乳房の触感や温感等を与えることができる。
【００１４】
請求項２では、保持器本体の上端開口部に、保持器本体に哺乳瓶を収納させたとき、その肩部が開口縁部に突き当って哺乳瓶の抜けを阻止できるリング状のねじ蓋を被せたことを特徴とする。
【００１５】
この発明では、保持器本体内部に哺乳瓶を収納させたとき、乳児が哺乳瓶を逆さにしてミルクを飲んでも哺乳瓶が抜け落ちることがないものである。
【００１６】
請求項３では、リング状のねじ蓋の開口部内側に、シリコンによるパッキン処理を施したことを特徴とする。
【００１７】
請求項３では、リング状のねじ蓋の開口部内側のパッキンにより、哺乳瓶の熱が外部へ放出するのを防止することができる。
【００１８】
請求項４では、保持器本体の外側に張設された軟質シートを、シリコンにて形成したことを特徴とする。
【００１９】
この発明では、軟質シートをシリコンで形成したので、乳児の手にくっ付くような着用感が得られ、ゴム風船のように薄く形成しても丈夫であり、さらに乳児の健康に害を及ぼさないものである。
【００２０】
請求項５では、保持器本体の外側に張設した軟質シートの適宜部位に、エア注入用のへそ部を設けたことを特徴とする。
【００２１】
この発明では、使用者が口を使ってへそ部からエアを注入することができる他に、エアポンプを使ってへそ部からエアを注入することもできる。何れの場合も、短時間で簡単に軟質シートを乳房状に膨出させることができるものである。
【００２２】
【発明の実施の形態】
以下、本発明の実施の形態について図面を参照して詳細に説明する。
図１は、本発明に係る哺乳瓶用保持器の正面図であり、図２は、同上の平面図であり、図３は、図１のＩ−Ｉ線矢視断面図であり、図４は、使用状態を示す断面図であり、図５は、使用状態を示す斜視図であり、図６は、ねじ蓋の内面図である。
【００２３】
本発明は、哺乳瓶ａを脱着自在に収納できる保持器本体１と、保持器本体１の胴部２の外周に張設された軟質シート１１とを主要部材として構成されている。
【００２４】
前記保持器本体１は、次のように構成される。
有底円筒型の胴部２における開口部３の上端外側に雌ねじ部４が設けられている。
【００２５】
また、胴部２の下端および上端（雌ねじ部４の下側）には、外側へ突出する同厚みの板厚部５、６が、両板厚部５、６の上下対向端には、係止用フランジ５ａ、６ａがそれぞれ形成されている。
【００２６】
そして、前記板厚部５には、軟質シート１１の下端１１ａを介して有底蓋状の押え７が嵌合される。一方、前記板厚部６には、軟質シート１１の上端１１ｂを介してリング状の押え８が嵌合される。
【００２７】
さらに、前記胴部２上端の雌ねじ部４には、中央に広口の開口部９を有するリング状のねじ蓋１０が螺合されている。
【００２８】
前記胴部２は、哺乳瓶ａをその乳首ｂ部分を外に出した状態で収納できる高さおよび幅をもって形成されている。
【００２９】
一方、ねじ蓋１０の開口部９は、哺乳瓶ａを収納した際、その乳首ｂ部分が突出すると共に、肩部ｃが開口部９の内周縁９ａに突き当って抜けないように形成されている。
【００３０】
そして、さらに、ねじ蓋１０の開口部９内側には図６に示したように、シリコンによるパッキン９ｂ処理が施されている。このパッキン９ｂ処理により、ねじ蓋１０の開口部９と哺乳瓶ａの隙間が塞がれ、哺乳瓶ａの持つ熱が外部へ放出するのを防止することができる。
【００３１】
ところで、保持器本体１の胴部２、押え７、８およびねじ蓋１０は全て哺乳瓶ａと同一または類似の素材を使用することが望ましい。その理由は、保持器本体１に対する哺乳瓶ａの出し入れの時、摩擦による磨耗が発生しにくく、長期の使用が可能となるからである。例えば、ポリエチレン等のようにやや硬質のプラスチックが良い。その中に抗菌剤を入れて成形するとさらに良い。
【００３２】
前記軟質シート１１は、次のように構成される。
保持器本体１の胴部２よりやや大径の円筒体１２を形成し、この円筒体１２の下端１１ａを胴部２の下方板厚部６へ、上端１１ｂを胴部２の上方板厚部５へそれぞれ装着し、その上から押え７、８を嵌合することによって円筒体１２の上下両端１１ａ、１１ｂを押える。
【００３３】
かくして、保持器本体１の胴部２の外周に環状の密閉空間１３が形成された状態で軟質シート１１は張設される。
【００３４】
さらに、前記軟質シート１１の適宜位置には、へそ部１４が設けられている。このへそ部１４は、保持器本体１の胴部２と軟質シート１１の密閉空間１３にエアを注入するためのものである。このエアの注入は、口による他、エアポンプを使用して行なうこともできる。
【００３５】
かくして、エアが前記密閉空間１３に注入されると、軟質シート１１はだんだんに膨らんでいき、最終的には図４および図５に示したように乳房状に形成される。
【００３６】
従って、前記軟質シート１１は、丈夫で、乳児の健康に害がなく、ゴム風船のように伸縮性に優れた薄い材質で、エアの圧力で簡単に膨らませることができ、かつ使用時に乳児が手でつかんだ時、滑り難く、また、あたかも母親の乳房のような触感と温感等が得られるもの、例えばシリコンが最適である。
【００３７】
使用に際しては、保持器本体１の胴部２上端に螺合したねじ蓋１０を取り外し、内部にミルクを入れた哺乳瓶ａを胴部２内に収納した後、再びねじ蓋１０をねじ込んで取り付ける。
【００３８】
次いで、胴部２の外周に張設された軟質シート１１に設けられたへそ部１４から密閉空間１３内にエアを口あるいはエアポンプを使って注入すると、軟質シート１１は徐々に膨らんでいき，あたかも母親の乳房のような形状に成形される。
【００３９】
そこで、乳児の両手ｄを軟質シート１１の外側に当てがい、口の中に哺乳瓶ａの乳首ｂを含ませてミルクを与えると、乳児はあたかも母親の乳房のような触感と温感等を感じながら精神的に満ち足りた状態で安心して飲むことができる。
なお、哺乳瓶は乳児のみならず、高齢者が用いることもある。したがって、本発明は、高齢者が哺乳瓶内の飲料を飲む際に使用することもできる。
【００４０】
【発明の効果】
本発明は、以上詳述したように構成されるものであるから、乳児が哺乳瓶内のミルクを飲む時、あたかも母親の乳房のような触感、温感等が得られる。これらは乳児に対して精神的な安定感、満足感を与え、さらには乳児の情緒発達に良い影響を与えることができると共に、乳児の指の動きを活発化させ、知能の発達にも大きく貢献できるものである。
【００４１】
また、乳児の手にくっ付くような着用感があり、授乳中に滑って、哺乳瓶を落すおそれが少なく、安心して飲むことができる。
【００４２】
さらに、保持器本体における胴部上端に螺合したリング状のねじ蓋の開口部内側にパッキンが施されているため、哺乳瓶に対する保温性を高めることができる。
【００４３】
さらにまた、使用前はエアを抜いておき、使用直前に軟質シートを膨らませれば良いから、携帯や保管等に便利であり、衛生的であり、かつ保温性にも優れているものである。
【図面の簡単な説明】
【図１】本発明に係る哺乳瓶用保持器の正面図である。
【図２】同上の平面図である。
【図３】図１のＩ−Ｉ線矢視断面図である。
【図４】使用状態を示す断面図である。
【図５】使用状態を示す斜視図である。
【図６】ねじ蓋の内面図である。
【符号の説明】
１    保持器本体
２    胴部
９    開口部
９ａ  内周縁
９ｂ  パッキン
１０  ねじ蓋
１１  軟質シート
１４  へそ部
ａ    哺乳瓶
【図１】
2005046216.tif 000003
【図２】
2005046216.tif 000004
【図３】
2005046216.tif 000005
【図４】
2005046216.tif 000006
【図５】
2005046216.tif 000007
【図６】
2005046216.tif 000008